(57)【特許請求の範囲】
【請求項１】
情報信号が記録される情報記録トラック及びアドレス情報を含むガイド信号が記録されるガイドトラックを備えたデータ記録エリアと、
前記アドレス情報を含むコントロールデータが第１のエンボスピット列として形成されるとともに、前記ガイド信号が記録されない第１のエンボスエリアと、
前記コントロールデータを含まない第２のエンボスピット列が形成されるとともに、前記ガイド信号が記録される第２のエンボスエリアと、を備え、
前記アドレス情報は、前記第１のエンボスエリア、前記第２のエンボスエリア、前記データ記録エリアの順に連続して付与されることを特徴とする情報記録媒体。
【請求項２】
前記第２のエンボスエリアに対応する前記ガイド信号のアドレス情報は、前記情報記録媒体のデータ記録エリアの先頭に対応する前記ガイド信号のアドレス情報に基づいて設定されていることを特徴とする請求項１に記載の情報記録媒体。
【請求項３】
前記第２のエンボスエリアにおいては、ダミーデータが前記第２のエンボスピット列として記録されていることを特徴とする請求項１又は２に記載の情報記録媒体。
【請求項４】
前記第１のエンボスエリア及び前記第２のエンボスエリアの各々は、誤り訂正単位の整数倍の大きさを有することを特徴とする請求項１乃至３のいずれか一に記載の情報記録媒体。
【請求項５】
前記第１のエンボスエリアは、前記第２のエンボスエリアよりも大きいことを特徴とする請求項１乃至４のいずれか一に記載の情報記録媒体。
【請求項６】
内周から順に、前記第１のエンボスエリア、前記第２のエンボスエリア、前記データ記録エリアが形成されることを特徴とする請求項１乃至５のいずれか一に記載の情報記録媒体。
【請求項７】
情報記録媒体に、前記アドレス情報を含むコントロールデータを含む第１のエンボスピット列を有する第１のエンボスエリアと、前記コントロールデータを含まない第２のエンボスピット列を有する第２のエンボスエリアを形成し、前記第１のエンボスエリアにおいては、アドレス情報を含むガイド信号を記録することなく、前記第２のエンボスエリアにおいては、前記ガイド信号を記録し、
前記アドレス情報は、前記第１のエンボスエリア、前記第２のエンボスエリア、前記データ記録エリアの順に連続して付与されること、を特徴とする情報記録媒体への信号記録方法。
【請求項８】
前記第２のエンボスエリアに対応する前記ガイド信号のアドレス情報は、前記情報記録媒体のデータ記録エリアの先頭に対応する前記ガイド信号のアドレス情報に基づいて設定されていることを特徴とする請求項７に記載の信号記録方法。
【請求項９】
前記第２のエンボスエリアにおいては、ダミーデータが前記第２のエンボスピット列として記録されることを特徴とする請求項７又は８に記載の信号記録方法。
【請求項１０】
前記第１のエンボスエリア及び前記第２のエンボスエリアの各々は、誤り訂正単位の整数倍の大きさを有することを特徴とする請求項７乃至９のいずれか一に記載の信号記録方法。
【請求項１１】
前記第１のエンボスエリアは、前記第２のエンボスエリアよりも大きいことを特徴とする請求項７乃至１０のいずれか一に記載の信号記録方法。
【請求項１２】
前記情報記録媒体は、内周から順に、前記第１のエンボスエリア、前記第２のエンボスエリア、前記データ記録エリアが形成されることを特徴とする請求項７乃至１１のいずれか一に記載の信号記録方法。
【請求項１３】
情報記録媒体に、前記アドレス情報を含むコントロールデータを含む第１のエンボスピット列を有する第１のエンボスエリアと、前記コントロールデータを含まない第２のエンボスピット列を有する第２のエンボスエリアを形成するエンボス形成手段と、
前記第１のエンボスエリアにおいては、アドレス情報を含むガイド信号を記録することなく、前記第２のエンボスエリアにおいては、前記ガイド信号を記録する記録手段と、
を備え、
前記アドレス情報は、前記第１のエンボスエリア、前記第２のエンボスエリア、前記データ記録エリアの順に連続して付与されることを特徴とする信号記録装置。
【請求項１４】
前記記録手段は、前記第２のエンボスエリアに対応する前記ガイド信号のアドレス情報を、前記情報記録媒体のデータ記録エリアの先頭に対応する前記ガイド信号のアドレス情報に基づいて設定することを特徴とする請求項１３に記載の信号記録装置。
【請求項１５】
前記エンボスエリア形成手段は、ダミーデータを前記第２のエンボスピット列として記録することにより前記第２のエンボスエリアを形成することを特徴とする請求項１３又は１４に記載の信号記録装置。
【請求項１６】
前記第１のエンボスエリア及び前記第２のエンボスエリアの各々は、誤り訂正単位の整数倍の大きさを有することを特徴とする請求項１３乃至１５のいずれか一に記載の信号記録装置。
【請求項１７】
前記第１のエンボスエリアは、前記第２のエンボスエリアよりも大きいことを特徴とする請求項１３乃至１６のいずれか一に記載の信号記録装置。
【請求項１８】
前記情報記録媒体は、内周から順に、前記第１のエンボスエリア、前記第２のエンボスエリア、前記データ記録エリアが形成されることを特徴とする請求項１３乃至１７のいずれか一に記載の信号記録装置。
【請求項１９】
情報記録媒体に、情報信号が記録される情報記録トラック及びアドレス情報を含むガイド信号が記録されるガイドトラックを備えたデータ記録エリアを形成するデータエリア形成工程と、
前記アドレス情報を含むコントロールデータが第１のエンボスピット列として形成されるとともに、前記ガイド信号が記録されない第１のエンボスエリアを形成する第１のエンボスエリア形成工程と、
前記コントロールデータを含まない第２のエンボスピット列が形成されるとともに、前記ガイド信号が記録される第２のエンボスエリアを形成する第２のエンボスエリア形成工程と、を備え、
前記アドレス情報は、前記第１のエンボスエリア、前記第２のエンボスエリア、前記データ記録エリアの順に連続して付与されることを特徴とする情報記録媒体製造方法。
【請求項２０】
前記第２のエンボスエリアに対応する前記ガイド信号のアドレス情報は、前記情報記録媒体のデータ記録エリアの先頭に対応する前記ガイド信号のアドレス情報に基づいて設定されていることを特徴とする請求項１９に記載の情報記録媒体製造方法。
【請求項２１】
前記第２のエンボスエリア形成工程においては、ダミーデータに基づいて前記第２のエンボスピット列を形成することを特徴とする請求項１９又は２０に記載の情報記録媒体製造方法。
【請求項２２】
前記第１のエンボスエリア及び前記第２のエンボスエリアの各々は、誤り訂正単位の整数倍の大きさを有することを特徴とする請求項１９乃至２１のいずれか一に記載の情報記録媒体製造方法。
【請求項２３】
前記第１のエンボスエリアは、前記第２のエンボスエリアよりも大きいことを特徴とする請求項１９乃至２２のいずれか一に記載の情報記録媒体製造方法。
【請求項２４】
前記情報記録媒体は、内周から順に、前記第１のエンボスエリア、前記第２のエンボスエリア、前記データ記録エリアが形成されることを特徴とする請求項１９乃至２３のいずれか一に記載の情報記録媒体製造方法。
【請求項２５】
情報記録媒体に、情報信号が記録される情報記録トラック及びアドレス情報を含むガイド信号が記録されるガイドトラックを備えたデータ記録エリアを形成するデータエリア形成手段と、
前記アドレス情報を含むコントロールデータが第１のエンボスピット列として形成されるとともに、前記ガイド信号が記録されない第１のエンボスエリアを形成する第１のエンボスエリア形成手段と、
前記コントロールデータを含まない第２のエンボスピット列が形成されるとともに、前記ガイド信号が記録される第２のエンボスエリアを形成する第２のエンボスエリア形成手段と、を備え、
前記アドレス情報は、前記第１のエンボスエリア、前記第２のエンボスエリア、前記データ記録エリアの順に連続して付与されることを特徴とする情報記録媒体製造装置。
【請求項２６】
前記第２のエンボスエリアに対応する前記ガイド信号のアドレス情報は、前記情報記録媒体のデータ記録エリアの先頭に対応する前記ガイド信号のアドレス情報に基づいて設定されていることを特徴とする請求項２５に記載の情報記録媒体製造装置。
【請求項２７】
前記第２のエンボスエリア形成手段は、ダミーデータに基づいて前記第２のエンボスピット列を形成することを特徴とする請求項２５又は２６に記載の情報記録媒体製造装置。
【請求項２８】
前記第１のエンボスエリア及び前記第２のエンボスエリアの各々は、誤り訂正単位の整数倍の大きさを有することを特徴とする請求項２５乃至２７のいずれか一に記載の情報記録媒体製造装置。
【請求項２９】
前記第１のエンボスエリアは、前記第２のエンボスエリアよりも大きいことを特徴とする請求項２５乃至２８のいずれか一に記載の情報記録媒体製造装置。
【請求項３０】
前記情報記録媒体は、内周から順に、前記第１のエンボスエリア、前記第２のエンボスエリア、前記データ記録エリアが形成されることを特徴とする請求項２５乃至２９のいずれか一に記載の情報記録媒体製造装置。
【発明の詳細な説明】
【０００１】
【発明の属する技術分野】
本発明は、特にＤＶＤ−ＲＷに用いて好適な情報記録媒体、その製造装置及びその製造方法、ならびに情報記録媒体への信号記録装置及びその信号記録方法に関する。
【０００２】
【従来の技術】
ＣＤ−ＲＯＭフォーマットの多様化、及びＤＶＤ（Digital  Versatile  Disk）の登場により、光ディスクに種々のタイプが出現し、今後も増加傾向にある。現状、ＣＤ−ＲＯＭフォーマットでは、読み取り専用のＣＤ−ＲＯＭ、書き込み可能なＣＤ−Ｒがあり、ＤＶＤでは、読み取り専用のＤＶＤ−ＲＯＭ、書き換え回数が有限であるＤＶＤ−ＲＷ、何度でもリードライトできるＤＶＤ−ＲＡＭがある。
【０００３】
図１３に、ＤＶＤ−ＲＷの現行フォーマットにおけるリードインエリアのデータ構造ならびにアドレス割付けの例を示す。図において、書換え不能のリーダブルエンボスデータゾーンに属するリードインエリアの開始位置であるＥＣＣブロックアドレス“００２２ＦＡ”ｈから３０７８ＥＣＣブロックのイニシャルゾーンが設けられ、このイニシャルゾーンには、ブランクを意味する（００）ｈがセットされている。このエンボスデータゾーンに続くＥＣＣブロックアドレス“００２Ｆ００”ｈから２ＥＣＣブロックのリファレンスコードゾーンが割り付けられ、このリファレンスコードゾーンには、エンボス基準コードが記録されている。具体的には、エンボス基準コードとして予め定められた変換テーブル中のコードワードが繰り返されている。この所定のコードワードが正しく読み出されるように、換言すれば、所定のエラー率の範囲内で読み出されるように装置が設定される。このリファレンスコードゾーンに続き、ＥＣＣブロックアドレス“００２Ｆ０２”ｈから再びブランク（００）ｈとされた３０ＥＣＣブロックのバッファゾーンが割り付けられる。
【０００４】
続くＥＣＣブロックアドレス“００２Ｆ２０”ｈから始まるコントロールデータゾーンは１９２ＥＣＣブロックとされ、このコントロールデータゾーンには本来１６セクタ（１ＥＣＣブロック）で構成され、以下に示す物理フォーマット情報エリア（１セクタ）と、ディスク製造情報エリア（１セクタ）と、空き情報エリア（１４セクタ）から成るコントロールデータが１９２回繰り返し記録される。ここでは、物理フォーマット情報として、適用されるＤＶＤ規格のタイプ（ＤＶＤ規格のタイプ（ＤＶＤ―ＲＯＭ・ＤＶＤ−ＲＡＭ・ＤＶＤ−ＲＷ等）およびパートバージョン、ディスクサイズおよび最小読出レート、ディスク構造（１層ＲＯＭディスク・１層ＲＡＭディスク・２層ＲＯＭ／ＲＡＭディスク等）、記録密度、データエリアアロケーション、バーストカッティングエリアにおける記録時の露光量指定のための線速度条件、読出しパワー、ピークパワー、バイアスパワー、媒体の製造に関する諸情報等が記録される。また、空き情報エリアには、任意の位置に著作権保護情報等重要なデータが記録される。しかしながら、ＤＶＤ−ＲＷによれば、不正な書き換えを防止するため、当該１９２ＥＣＣブロックから成るコントロールデータゾーンには、エンボスピットがランダムに形成（埋め込まれる）され、アンリーダブルエンボスエリアとして上述したコントロールデータの読み出し及び記録のいずれも不可能とされていた。なお、コントロールデータは、別の位置に書き込まれる。
【０００５】
【発明が解決しようとする課題】
上述したようにＤＶＤ−ＲＷにおいて、コントロールデータゾーンは、読出し／書き込みができないゾーンとして記録されていた。ところが、最近、ＤＶＤビデオプレーヤにおいて、ＤＶＤ−ＲＷの再生を可能にするためのＤＶＤビデオと同位置にあるコントロールデータゾーンに対しデータの書き込みはできなくても読むことのできる光ディスク（ＤＶＤ−ＲＷ）の登場が要望されてきた。
【０００６】
しかしながら、例えば、ＣＤのようにエンボスピットを実際に読めるデータとして記録した場合、ＤＶＤ−ＲＷによれば、ランド部分にランドプリピット（ガイド信号）があり、この部分の存在によってコントロールデータゾーンのデータを読むことができない。ランドプリピット信号は次のエリアにデータを書き込むために必須となるもので、これを除外することはできず、結果的にリーダブルエンボスピットによりデータを書き込むことができない。
【０００７】
このように、コントロールデータゾーンのデータをエンボスピットにより記録すると、ランドプリピット信号を十分な品質で得ることができなくなるため、コントロールデータゾーン直後のエリアにデータを記録することができなくなるという問題があった。
【０００８】
本発明は上記事情に鑑みてなされたものであり、コントロールデータゾーン直後のエリアにデータ記録を可能とし、かつ、従来バージョンにおける情報記録媒体との互換性を維持できる情報記録媒体、その製造装置及びその製造方法、ならびに情報記録媒体への信号記録装置及びその信号記録方法を提供することを目的とする。
【０００９】
【課題を解決するための手段】
上述した課題を解決するために請求項１に記載の情報記録媒体は、情報信号が記録される情報記録トラック及びアドレス情報を含むガイド信号が記録されるガイドトラックを備えたデータ記録エリアと、前記アドレス情報を含むコントロールデータが第１のエンボスピット列として形成されるとともに、前記ガイド信号が記録されない第１のエンボスエリアと、前記コントロールデータを含まない第２のエンボスピット列が形成されるとともに、前記ガイド信号が記録される第２のエンボスエリアと、を備え、前記アドレス情報は、前記第１のエンボスエリア、前記第２のエンボスエリア、前記データ記録エリアの順に連続して付与されることとした。また、請求項２に記載の情報記録媒体は、請求項１に記載の情報記録媒体において、前記第２のエンボスエリアに対応する前記ガイド信号のアドレス情報は、前記情報記録媒体のデータ記録エリアの先頭に対応する前記ガイド信号のアドレス情報に基づいて設定されていることとした。また、請求項３に記載の情報記録媒体は、請求項１又は２に記載の情報記録媒体において、前記第２のエンボスエリアにおいては、ダミーデータが前記第２のエンボスピット列として記録されていることとした。
【００１０】
また、請求項４に記載の情報記録媒体は、請求項１乃至３のいずれか一に記載の情報記録媒体において、前記第１のエンボスエリア及び前記第２のエンボスエリアの各々は、誤り訂正単位の整数倍の大きさを有することとした。また、請求項５に記載の情報記録媒体は、請求項１乃至４のいずれか一に記載の情報記録媒体において、前記第１のエンボスエリアは、前記第２のエンボスエリアよりも大きいこととした。また、請求項６に記載の情報記録媒体は、請求項１乃至５のいずれか一に記載の情報記録媒体において、内周から順に、前記第１のエンボスエリア、前記第２のエンボスエリア、前記データ記録エリアが形成されることとした。
【００１１】
請求項７に記載の情報記録媒体への信号記録方法は、情報記録媒体に、前記アドレス情報を含むコントロールデータを含む第１のエンボスピット列を有する第１のエンボスエリアと、前記コントロールデータを含まない第２のエンボスピット列を有する第２のエンボスエリアを形成し、前記第１のエンボスエリアにおいては、アドレス情報を含むガイド信号を記録することなく、前記第２のエンボスエリアにおいては、前記ガイド信号を記録し、前記アドレス情報は、前記第１のエンボスエリア、前記第２のエンボスエリア、前記データ記録エリアの順に連続して付与されることとした。また、請求項８に記載の情報記録媒体への信号記録方法は、請求項７に記載の信号記録方法において、前記第２のエンボスエリアに対応する前記ガイド信号のアドレス情報は、前記情報記録媒体のデータ記録エリアの先頭に対応する前記ガイド信号のアドレス情報に基づいて設定されていることとした。また、請求項９に記載の情報記録媒体への信号記録方法は、請求項７又は８に記載の信号記録方法において、前記第２のエンボスエリアにおいては、ダミーデータが前記第２のエンボスピット列として記録されることとした。また、請求項１０に記載の情報記録媒体への信号記録方法は、請求項７乃至９のいずれか一に記載の信号記録方法において、前記第１のエンボスエリア及び前記第２のエンボスエリアの各々は、誤り訂正単位の整数倍の大きさを有することとした。また、請求項１１に記載の情報記録媒体への信号記録方法は、請求項７乃至１０のいずれか一に記載の信号記録方法において、前記第１のエンボスエリアは、前記第２のエンボスエリアよりも大きいこととした。また、請求項１２に記載の情報記録媒体への信号記録方法は、請求項７乃至１１のいずれか一に記載の信号記録方法において、前記情報記録媒体は、内周から順に、前記第１のエンボスエリア、前記第２のエンボスエリア、前記データ記録エリアが形成されることとした。
【００１２】
請求項１３に記載の信号記録装置は、情報記録媒体に、前記アドレス情報を含むコントロールデータを含む第１のエンボスピット列を有する第１のエンボスエリアと、前記コントロールデータを含まない第２のエンボスピット列を有する第２のエンボスエリアを形成するエンボス形成手段と、前記第１のエンボスエリアにおいては、アドレス情報を含むガイド信号を記録することなく、前記第２のエンボスエリアにおいては、前記ガイド信号を記録する記録手段と、を備え、前記アドレス情報は、前記第１のエンボスエリア、前記第２のエンボスエリア、前記データ記録エリアの順に連続して付与されることとした。また、請求項１４に記載の信号記録装置は、請求項１３に記載の信号記録装置において、前記記録手段は、前記第２のエンボスエリアに対応する前記ガイド信号のアドレス情報を、前記情報記録媒体のデータ記録エリアの先頭に対応する前記ガイド信号のアドレス情報に基づいて設定することとした。また、請求項１５に記載の信号記録装置は、請求項１３又は１４に記載の信号記録装置において、前記エンボスエリア形成手段は、ダミーデータを前記第２のエンボスピット列として記録することにより前記第２のエンボスエリアを形成することとした。
【００１３】
請求項１６に記載の信号記録装置は、請求項１３乃至１５のいずれか一に記載の信号記録装置において、前記第１のエンボスエリア及び前記第２のエンボスエリアの各々は、誤り訂正単位の整数倍の大きさを有することとした。また、請求項１７に記載の信号記録装置は、請求項１３乃至１６のいずれか一に記載の信号記録装置において、前記第１のエンボスエリアは、前記第２のエンボスエリアよりも大きいこととした。また、請求項１８に記載の信号記録装置は、請求項１３乃至１７のいずれか一に記載の信号記録装置において、前記情報記録媒体は、内周から順に、前記第１のエンボスエリア、前記第２のエンボスエリア、前記データ記録エリアが形成されることとした。
【００１４】
また、請求項１９に記載の情報記録媒体製造方法は、情報記録媒体に、情報信号が記録される情報記録トラック及びアドレス情報を含むガイド信号が記録されるガイドトラックを備えたデータ記録エリアを形成するデータエリア形成工程と、前記アドレス情報を含むコントロールデータが第１のエンボスピット列として形成されるとともに、前記ガイド信号が記録されない第１のエンボスエリアを形成する第１のエンボスエリア形成工程と、前記コントロールデータを含まない第２のエンボスピット列が形成されるとともに、前記ガイド信号が記録される第２のエンボスエリアを形成する第２のエンボスエリア形成工程と、を備え、前記アドレス情報は、前記第１のエンボスエリア、前記第２のエンボスエリア、前記データ記録エリアの順に連続して付与されることとした。また、請求項２０に記載の情報記録媒体製造方法は、請求項１９に記載の情報記録媒体製造方法において、前記第２のエンボスエリアに対応する前記ガイド信号のアドレス情報は、前記情報記録媒体のデータ記録エリアの先頭に対応する前記ガイド信号のアドレス情報に基づいて設定されていることとした。また、請求項２１に記載の情報記録媒体製造方法は、請求項１９又は２０に記載の情報記録媒体製造方法において、前記第２のエンボスエリア形成工程においては、ダミーデータに基づいて前記第２のエンボスピット列を形成することとした。
【００１５】
請求項２２に記載の情報記録媒体製造方法は、請求項１９乃至２１のいずれか一に記載の情報記録媒体製造方法において、前記第１のエンボスエリア及び前記第２のエンボスエリアの各々は、誤り訂正単位の整数倍の大きさを有することとした。また、請求項２３に記載の情報記録媒体製造方法は、請求項１９乃至２１のいずれか一に記載の情報記録媒体製造方法において、前記第１のエンボスエリアは、前記第２のエンボスエリアよりも大きいこととした。また、請求項２４に記載の情報記録媒体製造方法は、請求項１９乃至２３のいずれか一に記載の情報記録媒体製造方法において、前記情報記録媒体は、内周から順に、前記第１のエンボスエリア、前記第２のエンボスエリア、前記データ記録エリアが形成されることとした。
【００１６】
また、請求項２５に記載の情報記録媒体製造装置は、情報記録媒体に、情報信号が記録される情報記録トラック及びアドレス情報を含むガイド信号が記録されるガイドトラックを備えたデータ記録エリアを形成するデータエリア形成手段と、前記アドレス情報を含むコントロールデータが第１のエンボスピット列として形成されるとともに、前記ガイド信号が記録されない第１のエンボスエリアを形成する第１のエンボスエリア形成手段と、前記コントロールデータを含まない第２のエンボスピット列が形成されるとともに、前記ガイド信号が記録される第２のエンボスエリアを形成する第２のエンボスエリア形成手段と、を備え、前記アドレス情報は、前記第１のエンボスエリア、前記第２のエンボスエリア、前記データ記録エリアの順に連続して付与されることとした。また、請求項２６に記載の情報記録媒体製造装置は、請求項２５に記載の情報記録媒体製造装置において、前記第２のエンボスエリアに対応する前記ガイド信号のアドレス情報は、前記情報記録媒体のデータ記録エリアの先頭に対応する前記ガイド信号のアドレス情報に基づいて設定されていることとした。また、請求項２７に記載の情報記録媒体製造装置は、請求項２５又２６に記載の情報記録媒体製造装置において、前記第２のエンボスエリア形成手段は、ダミーデータに基づいて前記第２のエンボスピット列を形成することとした。また、請求項２８に記載の情報記録媒体製造装置は、請求項２５乃至２７のいずれか一に記載の情報記録媒体製造装置において、前記第１のエンボスエリア及び前記第２のエンボスエリアの各々は、誤り訂正単位の整数倍の大きさを有することとした。また、請求項２９に記載の情報記録媒体製造装置は、請求項２５乃至２８のいずれか一に記載の情報記録媒体製造装置において、前記第１のエンボスエリアは、前記第２のエンボスエリアよりも大きいこととした。また、請求項３０に記載の情報記録媒体製造装置は、請求項２５乃至２９のいずれか一に記載の情報記録媒体製造装置において、前記情報記録媒体は、内周から順に、前記第１のエンボスエリア、前記第２のエンボスエリア、前記データ記録エリアが形成されることとした。
【００１７】
上記構成により、第２のエンボスエリア直後のデータ記録が可能となり、第１のエンボスに対しデータの書き込みはできなくても読むことのできる情報記録媒体を提供できる。また、第２のエンボスエリアを設けたことによるアドレスの不整合を調整することで従来バージョンにおける情報記録媒体とのアドレス互換性を維持できる。また、リーダブルエンボスゾーンとされる第１のエンボスエリアと続くバッファゾーンの間に第２のエンボスエリアを付加、もしくは第１のエンボスエリアに続くバッファゾーンの一部に第２のエンボスエリアを割り付け、このことにより、その直後のエリアへのデータ記録が可能となる。また、従前のＤＶＤ−ＲＷバージョンと物理セクタナンバを一致させるよう、第２のエンボスエリアに対応するガイドトラックのアドレスが決定されるため、従来バージョンにおける情報記録媒体とのアドレス互換性を維持できる。
【００１８】
【発明の実施の形態】
図１は、ＤＶＤ−ＲＷのデータ構造を模式的に示した図である。図１において、本ディスクには、クランピングエリアを中心としてグルーブ（Groove）とランド（Land）が螺旋状に形成されており、ランドには、物理アドレスを規定するためのランドプリピット（Land PrePit）が形成されている。ランドプリピットのアドレス情報に基づいて、情報記録再生装置のピックアップが位置合わせ制御されて、グルーブへの情報記録（データ書き込み）とグルーブからの情報再生（データ読み取り）が行われるようになっている。上記データ書き込み又はデータ読み取りが行われるグルーブには、半径方向内側から半径方向外側に向けてＲ−インフォメーションエリア（R-Information Area：ＲＩＡ）とインフォメーションエリア（Information Area：ＩＡ）が割り当てられている。
【００１９】
Ｒ−インフォメーションエリアＲＩＡは、パワーキャリブレーションエリア（Ｐower  Calibration  Area：ＰＣＡ）とレコーディングマネージメントエリア(Recording  Management  Area：ＲＭＡ)で構成され、インフォメーションエリアＩＡは、リードインエリア（Lead−in  Area：ＬＩＡ）とデータ記録エリア（Data  Recordable  Area：ＤＲＡ）及びリードアウトエリア（Lead−out  Area：ＬＯＡ）で構成されている。
【００２０】
ここで、データ記録エリアＤＲＡには、オーディオデータやビデオデータ等の各種コンテンツデータ及びコンテツデータをファイルとして管理するためのファイル管理情報が記録される。レコーディングマネージメントエリアＲＭＡとリードインエリアＬＩＡ及びリードアウトエリアＬＯＡには、データ記録エリアＤＲＡに記録されるメインデータの記録状態を示す記録管理データが記録される。パワーキャリアブレーションエリアＰＣＡは、情報記録再生装置がデータ書き込みを行う際、試し書き等を行って適当な動作状態でのデータ書き込みが行えるようにピックアップの光量等を調整するために設けられている。レコーディングマネージメントエリアＲＭＡには、リードイン、リードアウト、及びＤＲＡの記録状態を管理するための記録管理データが記録される。
【００２１】
リードインエリアＬＩＡには、ディスクの物理情報を示す記録管理データが記録される。リードアウトエリアＬＯＡは、データ記録エリアＤＲＡに記録されるメインデータの終端位置に設けられる。リードアウトエリアＬＯＡには、（００）ｈのデータが記録される。リードアウトエリアＬＯＡの記録開始位置は、メインデータのデータ量に応じて変化する。
【００２２】
これら各エリアＰＣＡ、ＲＩＡ、ＬＩＡ、ＤＲＡ、ＬＯＡの領域アドレスと、データの記録アドレスは、上記のランドプリピットに基づいて物理的に決められたＥＣＣブロックアドレスに従って設定されるようになっている。
図２は、ＤＶＤ−ＲＷ（１）におけるグルーブとランドの配置関係を示す図である。ＤＶＤ−ＲＷにおいて、グルーブ２の左右にはランド３が配置され、ランド３（ガイドトラック）に書かれてあるランドプリピット４（ガイド信号）のアドレス情報を見てはグルーブ２の物理的なセクタナンバを生成して情報信号をグルーブ２に記録する。
【００２３】
図３は、本発明の実施形態が実現されるレイアウトにおけるリードインエリアの一実施形態を示す図である。図において、書換え不能のリーダブルエンボスデータゾーンに属するリードインエリアの開始位置には、イニシャルゾーンが設けられ、このイニシャルゾーンには、ブランクを意味する（００）ｈがセットされている。このエンボスデータゾーンに続いてリファレンスコードゾーンが設けられ、このリファレンスコードゾーンには、エンボス基準コードが記録されている。エンボス基準コードとして予め定められた変換テーブル中のコードワードが繰り返されている。この所定のコードワードが正しく読み出されるように、換言すれば、所定のエラー率の範囲内で読み出されるように装置が設定される。このリファレンスコードゾーンに続いてまたブランク（００）ｈのバッファゾーンが設けられている。
【００２４】
エンボスデータゾーンにおけるコントロールデータゾーンには、適用されるＤＶＤ規格のタイプ（ＤＶＤ規格のタイプ（ＤＶＤ―ＲＯＭ・ＤＶＤ−ＲＡＭ・ＤＶＤ−ＲＷ等）およびパートバージョン、ディスクサイズおよび最小読出レート、ディスク構造（１層ＲＯＭディスク・１層ＲＡＭディスク・２層ＲＯＭ／ＲＡＭディスク等）、記録密度、データエリアアロケーション、バーストカッティングエリアにおける記録時の露光量指定のための線速度条件、読出しパワー、ピークパワー、バイアスパワー、媒体の製造に関する諸情報等が記録されている。
【００２５】
本発明の実施形態は、特徴的にはこのコントロールデータゾーンとコントロールデータゾーンに続くブランクのバッファゾーンとの間にアンリーダブルなエンボスエリアを設けたことにある。上記したコントロールデータゾーンには、セクターナンバ“０２Ｆ２００”ｈから始まる読める深いエンボスピット（深さ約７０〜８０ｎｍ）でコントロールデータを記録し、読むときに障害となるランドプリピット４は記録されない。続いてアンリーダブルエンボスエリアを形成する。このアンリーダブルデータエンボスエリアには、ランドプリピット４を入れ、情報信号は記録再生できないようにダミーデータに基づく浅いエンボスピット（深さ約２０ｎｍ）を記録する。
【００２６】
ランドプリピット４が途絶えてしまうことにより、続くバッファゾーンへのデータ記録に立ち上がりが悪化する。そこでコントロールデータゾーンに続いて６４ＥＣＣブロックのアンリーダブルエンボスエリアを形成する。このアンリーダブルエンボスエリアには、ランドプリピット４を入れ、情報信号を記録再生できないようにダミーデータに基づく浅いエンボスピットを記録する。続くバッファゾーンには、ブランクデータ（００）ｈが記録され、リードインエリアが終了する。
【００２７】
このように、１９２ＥＣＣブロックを有するコントローデータゾーンとバッファゾーンとの間に、例えば６４ＥＣＣブロックを有するアンリーダブルエンボスエリアを新規に付加したため、従前のＤＶＤ−ＲＷバージョンとアドレスの不整合が生じる。そのため、ここでは、従前のＤＶＤ−ＲＷバージョンと物理セクタナンバを一致させるよう、アンリーダブルエンボスエリアに対応するガイドトラックのアドレスが決定されている。すなわち、物理セクタナンバをアンリーダブルエンボスエリアの前後で連続させ、ＥＣＣブロックアドレスはリーダブルエンボスエリアとアンリーダブルエンボスエリアの長さが異なるため、リーダブルエンボスエリアの前後で連続しない。従って、１９２ＥＣＣブロックと６４ＥＣＣブロックのアドレスの差分をバッファゾーンで吸収する必要がある。
【００２８】
そのために、アンリーダブルエンボスエリアに対応するガイド信号のアドレス情報は、データエリアの先頭に対応するガイド信号のアドレス情報（ＥＣＣブロックアドレス“００３０００”ｈ）に基づいた値とされている。すなわち、アンリーダブルエンボスエリアの先頭アドレスは、データエリアの先頭アドレス“００３０００”ｈからアンリーダブルエンボスエリアの長さ６４ＥＣＣブロック（“００００４０”ｈ）とバッファゾーンの長さ３２ＥＣＣブロック（“００００２０”ｈ）を減算した値（“００２ＦＡ０”ｈ）とされている。
【００２９】
図４ならびに図５は、本発明の実施形態において使用されるＤＶＤ−ＲＷの信号記録フォーマットを示す図である。ここでは、図４、図５を用いてＤＶＤ−ＲＷに記録情報を記録する際の一般的な物理フォーマット及び当該記録情報における誤り訂正処理について説明する。先ず、ＤＶＤ−ＲＷにおける誤り訂正及び当該誤り訂正処理における誤り訂正単位としてのＥＣＣブロックについて、図４を用いて説明する。
【００３０】
一般に、ＤＶＤ―ＲＷに記録される記録情報は、図４（ａ）に示すデータセクタ２０を複数個含む物理構造を成して構成されている。そして、一のデータセクタ２０中には、その先頭から、データセクタ２０の開始位置を示すＩＤ情報２１と、当該ＩＤ情報２１の誤りを訂正するためのＩＤ情報誤り訂正コード（ＩＥＣ（ID Data Error Correction Code））２２と、予備データ２３と、記録すべき主たるデータであるデータ２４と、データ２４におけるエラーを検出するためのエラー検出コード（ＥＤＣ（Error Detection Code）２５とにより構成され、このデータセクタ２０が複数連続することにより記録すべき記録情報が構成されている。ＩＤ情報２１は、１バイトのセクタインフォーメーション情報と３バイトのセクタナンバの計４バイトで構成される。セクタインフォーメーションとして、そのセクタナンバの属する層、エリア等の情報がある。
【００３１】
次に、このデータセクタ２０を用いてＥＣＣブロックを構成する際の処理を、図４（ｂ）を用いて説明する。データセクタ２０を用いてＥＣＣブロックを構成する際には、図４（ｂ）に示すように、始めに、一のデータセクタ２０を１７２バイト毎に分割し、分割した夫々のデータ（これを、以下、データブロック３３という。）を垂直方向に並べる（図４（ｂ）−１参照）。このとき、垂直方向には１２行のデータブロック３３が並ぶことになる。そして、垂直方向に並べた夫々のデータブロック３３に対して１０バイトのＥＣＣ内符号（ＰＩ（Pality  In）符号）３１を当該データブロック３３の最後に付加して一の訂正ブロック３４を構成する（図４（b）−2参照）。この段階では、ＥＣＣ内符号３１が付加された訂正ブロック３４が垂直方向に１２行並んでいることとなる。その後、この処理を１６のデータセクタ２０分だけ繰り返す。これにより、１９２行の訂正ブロック３４が得られる。
【００３２】
次に、上記の１９２行の訂正ブロック３４が垂直方向に並べられた状態で、今度は、当該１９２行の訂正ブロック３４を１バイト毎に最初から垂直方向に分割し、分割した夫々のデータに対して１６個のＥＣＣ外符号（ＰＯ（Pality  Out）符号）３２を付加する。なお、当該ＥＣＣ外符号３２は、上記訂正ブロック３４のうち、ＥＣＣ内符号３１の部分に対しても付加される。
【００３３】
以上の処理により、１６のデータセクタ２０を含む一のＥＣＣブロック３０が図４（ｂ）−２に示すように形成される。このとき、一のＥＣＣのブロック３０内に含まれる情報の総量は、（１７２＋１９）バイト×（１９２＋１６）行＝３７８５６バイトであり、この内、実際のデータ２４は、２０４８バイト×１６＝３２７６８バイトとなる。また、図４（ｂ）−２に示すＥＣＣブロック３０においては、１バイトのデータを「Ｄ＃．＊」で示している。例えば、「Ｄ１．０」は第１行第０列に配置されている１バイトのデータを示しており、「Ｄ１９０．１７０」は第１９０行第１７０列に配置されている１バイトのデータを示している。従って、ＥＣＣ内符号３１は第１７２列乃至第１８１列に配置され、ＥＣＣ外符号３２は第１９２行乃至第２０７行に配置されることとなる。
【００３４】
更に、一の訂正ブロック３４はＤＶＤ−ＲＷ上には連続して記録される。ここで、図４（ｂ）−２に示すように、ＥＣＣブロック３０をＥＣＣ内符号３１とＥＣＣ外符号３２の双方を含むように構成するのは、図４（ｂ）−２における水平方向に並んでいるデータの訂正をＥＣＣ内符号３１で行い、図４（ｂ）−２における垂直方向に並んでいるデータの訂正をＥＣＣ外符号３２で行うためである。
【００３５】
すなわち、図４（ｂ）−２で示すＥＣＣブロック３０内においては、水平方向と垂直方向の二重に誤り訂正することが可能となり、従来のＣＤ等に用いられている誤り訂正処理に比してより強力に誤り訂正ができるように構成されている。
【００３６】
この点についてより具体的には、例えば、一の訂正ブロック３４（上述のように、一行分のＥＣＣ内符号３１を含んで計１８２バイトのデータを含み、連続してＤＶＤ−ＲＷ上に記録されている。）が全てＤＶＤ−ＲＷのキズ等により破壊されたとしても、それを垂直方向から見ると、１列のＥＣＣ外符号３２に対して１バイトのデータ破壊でしかない。従って夫々の列のＥＣＣ外符号３２を用いて訂正を行えば、たとえ一の訂正ブロック３４の全てが破壊されても、正しく誤り訂正を行って正解に再生することができるのである。
【００３７】
次に、図４（ｂ）−２で示すＥＣＣブロック３０に構成されたデータセクタ２０が、具体的にＤＶＤ−ＲＷにどのように記録されるかについて、図５を用いて説明する。なお、図５において、「Ｄ＃．＊」で示されるデータは、図４（ｂ）−２内に記述されているデータに対応している。
【００３８】
ＥＣＣブロック３０をＤＶＤ−Ｒに記録する際には、始めに、図２の再上段に示すように、ＥＣＣブロック３０が訂正ブロック３４毎に水平方向に一列に並べられてインターリーブされることにより、１６のレコーディングセクタ４０に分割される。このとき、一のレコーディングセクタ４０は、２３６６バイト（３７８５６バイト÷１６）の情報を含むこととなり、この中には、データセクタ２０とＥＣＣ内符号３１またはＥＣＣ外符号３２が混在している。但し、各レコーディングセクタ４０の先頭には、データセクタ２０におけるＩＤ情報２１（図４（ａ）参照）が配置される。
【００３９】
そして、一のレコーディングセクタ４０は、９１バイト毎のデータ４１に分割され、夫々にヘッダＨが付加される。その後、この状態のレコーデイングセクタ４０を８−１６変調することにより、夫々のデータ４１毎に一のシンクフレーム４２が形成される。このとき、一のシンクフレーム４２はヘッダＨ  とデータ４３とにより構成されている。また、一のシンクフレーム４２内の情報量は、９１バイト×８×（１６／８）＝１４５６バイトとなり、このシンクフレーム４２が連続した形態でＤＶＤ−ＲＷに情報が書き込まれる。このとき、一のレコーディングセクタ４０は、２６のシンクフレーム４２を含むこととなる。
【００４０】
以上説明した物理フォーマットを構成してＤＶＤ−ＲＷに情報を記録することにより、当該情報を再生する際に８−１６復調及びデインタリーブを行えば（図５参照）、もとのＥＣＣブロック３０を復元することができ、上記のように強力な誤り訂正を行って情報を正確に再生することができるのである。
【００４１】
図６乃至図８は本発明実施形態の動作を説明するために引用した図であり、それぞれ、ディスク製造装置の内部構成、その動作フローチャート、ディスク製造方法の手順を示す。
【００４２】
本発明において光ディスクを製造するためには図６に示されるディスク製造装置が用いられる。このディスク製造装置を用いてレーザカッティングする際、図８に示されるように、まず、ランド３に記録されるランドプリピット４に基づいてガラス基板上のレジスタ面を露光して現像することによりマスタースタンパを作製する。そして、このマスタースタンパに１回の電鋳処理を施して得られるサブマスター、もしくはサブマスターにさらに偶数回の電鋳処理を施してえられるスタンパのいずれかを用いてリプリケーションする。このような方法を採用すると、原盤のカッティング処理が１回で済み、ランド３上のランドプリピット４がずれるようなこともなくなり、高精度のディスク１を作ることができる。
【００４３】
図６に、前記レーザカッティングに用いるディスク製造装置を示す。図中、１０は大出力のレーザ発生装置であって、このレーザ発生装置１０の発生するレーザビームを光変調器１１において、エンコーダ１２から送られてくるランドカッティング情報によって光変調した後、対物レンズ１３によって集光し、ガラス基盤１４のレジスト１５上にスポットを結ばせるものである。ここで、エンコーダ１２Ａはグルーブ形成用のビームＡを生成するために用意され、また、エンコーダ１２Ｂはランドプリピット形成用のビームＢを生成するために用意されるものとする。なお、５０はコントローラであり、本ディスク製造装置の制御中枢となるものであり、図７及び図１０にそれぞれのレイアウトに従う制御手順が示されている。
【００４４】
ガラス基盤１４はスピンドルモータ１６にセットされており、スピンドルモータ１６は回転検出器１７、回転サーボ１８によって一定線速度（ＣＬＶ）で回転される。さらに、スピンドルモータ１６、送りユニット１９によってガラス基盤１４の半径（ラジアル）方向に送り可能とされており、位置検出器５２と送りサーボ回路５１によって所定の送り速度で半径方向に送り制御することにより、ガラス基盤１４のレジスト面にディスク中心側からディスク外周側に向かって渦巻き状にランド部がカッティングされるものである。
【００４５】
以下、図７に示すフローチャートを参照しながら本発明の実施形態における信号記録方法を適用したディスク製造装置の動作について説明する。
【００４６】
まず、ビームＡにより蛇行グルーブを形成し、ビームＢによりランドプリピットを形成する（ステップＳ７１）。情報ピットを生成する個所は、リードインエリアに限ってはコントロールデータゾーンにおけるリーダブルエンボスエリアと続くアンリーダブルエンボスエリアであるため、まず、リーダブルエンボス形成位置か否かが位置検出器５２によって調べられる（ステップＳ７２）。イニシャルゾーン、リファレンスゾーン、バッファゾーンを通過してコントロールデーゾーンにおけるリーダブルエンボス形成位置に至ったとき、ビームＢの供給を停止してランドプリピットの記録を一時停止する（ステップＳ７３）。そして、物理セクタナンバを“０２Ｆ２００”ｈにセットし、コントロールデータゾーンにリーダブルエンボスピットの記録を開始する（ステップＳ７５）。ここでは、ビームＡを変調することにより、ビームＡで蛇行グルーブを形成しながらコントロールデータを記録するものとする。また、深いリーダブルエンボスピットを形成するため、コントロールデータゾーンにおいて、ビームＡのレーザーパワーは持ち上げられる。
【００４７】
コントロールデータゾーンの開始アドレス“０２Ｆ２００”ｈ以降、物理セクタナンバを順次更新しながら上記の処理を繰り返して１９２ＥＣＣブロック分書き込んで、位置検出器２０によりアンリーダブルエンボス形成位置が検出されたところで、コントローラ５０は、ランドプリピット４のＥＣＣブロックアドレスを強制的に“００２ＦＡ０”ｈにセットしてランドプリピット４の記録を再開する（ステップＳ７７、Ｓ７８）。ここでは、ビームＢによりランドプリピット４の形成を再開する。次に、６４ＥＣＣブロック相当ビームＡにより蛇行させながらアンリーダブルエンボスピットを形成する（ステップＳ７９）。そしてバッファゾーンの先頭ＥＣＣブロックアドレス“００３０００”ｈを検出（ステップＳ８０）したところでビームＡの変調を停止し、アンリーダブルエンボスピットの記録を終了する（ステップＳ８１）。以降、再びビームＡにより蛇行グルーブを形成しながら、ビームＢによりランドプリピット４を形成し、最後に外周に至ったところで本処理を終了する（ステップＳ８２）。
【００４８】
図９は、レイアウトにおけるリードインエリアの他の実施形態を示す図であり、図１０は、そのレイアウトを実現するディスク製造装置の動作の流れを示す図である。図３に示す実施形態との差異は、図３に示す実施形態がリーダブルエンボスゾーンとされるコントロールデータゾーンと、続くバッファゾーンとの間にアンリーダブルエンボスエリアを割り付けたのに対し、図９に示す実施形態では、コントロールデータゾーンに続くバッファゾーンの半分にアンリーダブルエンボスエリアを割り付けたことにある。このアンリーダブルエンボスゾーンを１６ＥＣＣブロックとした場合、図１０に示すように、ステップＳ１０７において、アンリーダブルエンボス形成位置が検出されたときにＥＣＣブロックアドレス“００２ＦＥ０”ｈを強制セットする必要がある。他は同様であるため説明は省略する。
【００４９】
なお、ここで示す方法によれば、図３に示す実施形態とは異なり従前のＤＶＤ−ＲＷバージョンのディスクと互換性をとるために複雑なアドレス操作が不要となるため、データエリアの書き出しに支障がない限りアドレス制御のための負荷が軽減され有効となる。
【００５０】
図１１は、レイアウトにおけるリードインエリアの更に他の実施形態を示す図であり、図１２は、そのレイアウトを実現するディスク製造装置の動作の流れを示す図である。図１１に示す実施形態と図９に示す実施形態との差異は、図９に示す実施形態が１９２ＥＣＣブロックから成るコントロールデータゾーンをリーダブルエンボスエリアとし、続く３２ＥＣＣブロックから成るバッファゾーンの前半分である１６ＥＣＣブロックをアンリーダブルエンボスエリアとしたのに対し、図１１に示す実施形態では、本来１９２ＥＣＣブロックから成るコントロールデータゾーンの前１７６ＥＣＣブロックをリーダブルエンボスエリアとして割り付け、後ろ１６ＥＣＣブロックをアンリーダブルエンボスエリアとして割り付けたものである。従って、当該コントロールデータゾーンにおいて、１６セクタから成るコントロールデータは１７６回繰り返し書かれ、アンリーダブルエンボスエリアに続くバッファゾーンは３２ＥＣＣのままである。
【００５１】
このアンリーダブルエンボスゾーンを１６ＥＣＣブロックとした場合、図１２に示すように、ステップＳ１２７において、アンリーダブルエンボス形成位置が検出されたときに、ＥＣＣブロックアドレス“００２ＦＤ０”ｈを強制セットする必要がある。他は同様であるため説明は省略する。
【００５２】
なお、ここで示す方法によれば、図９に示す実施形態同様図３に示す実施形態とは異なり、従前のＤＶＤ−ＲＷバージョンのディスクと互換性をとるために複雑なアドレス操作が不要となるため、データエリアの書き出しに支障がない限りアドレス制御のための負荷が軽減され有効となる。
【００５３】
以上説明のように本発明の実施形態によれば、コントロールデータゾーン（１９２ＥＣＣ）をリータダブルエンボスとし、このコントロールデータゾーンと続く３２ＥＣＣブロックから成るバッファゾーンの間に６４ＥＣＣブロックのアンリーダブルエンボスエリアを割り付けたことにより、あるいは、コントロールデータゾーン（１９２ＥＣＣブロック）をリーダブルエンボスとし、続く３２ＥＣＣブロックのバッファゾーンの前半分の１６ＥＣＣブロックをアンリーダブルエンボスエリアとして割り付けるか、あるいは更に、本来１９２ＥＣＣブロックから成るコントロールデータゾーンの前１７６ＥＣＣブロックをリーダブルエンボスとし、後ろ１６ＥＣＣブロックをアンリーダブルエンボスエリアとして割り付けることにより、その直後のエリアに対するデータ記録が可能となる。また、リーダブルエンボスエリアに対応するランドプリピットは記録されない。更に、従前のＤＶＤ−ＲＷバージョンと物理セクタナンバを一致させるよう、データエリアに対応するガイド信号の先頭アドレス情報に基づき、アンリーダブルエリアに対応するガイドトラックのアドレスが決定されている。
【００５４】
以上説明のように本発明の実施形態によれば、情報トラックには、エンボスピットにより物理セクターアドレスを含む情報信号が記録されているリーダブルエンボスエリアと、情報信号の読み書きを禁止するアンリーダブルエンボスピットが記録されるアンリーダブルエンボスエリアとが形成され、リーダブルエンボスエリアに対応するガイドトラックには、ガイド信号が記録されず、アンリーダブルエンボスエリアに対応するガイドラックにはガイド信号が記録される。このことにより、アンリーダブルエンボスエリア直後のデータ記録が可能となり、コントロールデータゾーンに対しデータの書き込みはできなくても読むことのできる光ディスクを提供できる。また、アンリーダブルエンボスエリアを割り付けたことによるアドレスの不整合を調整することで従来バージョンにおけるディスクとのアドレス互換性を維持できる。
【００５５】
更に、リーダブルエンボスゾーンとされるコントロールデータゾーンと、続くバッファゾーンとの間にアンリーダブルエンボスエリアを割り付ける他に、コントロールデータゾーンに続くバッファゾーンの一部にアンリーダブルエンボスエリアを割り付けるか、あるいは、コントロールデータゾーンの一部にアンリーダブルエンボスエリアを割り付けることにより、後続するデータエリアへのデータ記録に支障がない限り、従前のＤＶＤ−ＲＷバージョンのディスクとの互換性を維持するための複雑なアドレス操作が不要となる。
【図面の簡単な説明】
【図１】本発明において使用されるＤＶＤ−ＲＷのディスク構造を示す図である。
【図２】図１に示すＤＶＤ−ＲＷにおけるグルーブとランドの配置関係を示す図である。
【図３】本発明の一実施形態をリードインエリアのレイアウトとして示した図である。
【図４】ＤＶＤ−ＲＷの信号記録フォーマットを示す図である。
【図５】ＤＶＤ−ＲＷの信号記録フォーマットを示す図である。
【図６】本発明の信号記録方法を適用したディスク製造装置の内部構成を示すブロック図である。
【図７】図６に示すディスク製造装置の動作手順をフローチャートで示した図である。
【図８】ディスクの製造方法を工程順に示した図である。
【図９】本発明の他の実施形態をリードインエリアの他のレイアウトとして示した図である。
【図１０】図９に示すディスク製造装置の動作手順をフローチャートで示した図である。
【図１１】本発明の更に他の実施形態をリードインエリアの他のレイアウトとして示した図である。
【図１２】図１１に示すディスク製造装置の動作手順をフローチャートで示した図である。
【図１３】従来のＤＶＤ−ＲＷのフォーマットにおけるレードインエリアのデータ構造ならびにそのアドレス割付けを示す図である。
【符号の説明】
１…ディスク、２…グルーブ、３…ランド、４…ランドプリピット、１０…レーザ発生装置、１１…光変調器、１２（１３）…エンコーダ、１４…ガラス基盤、１５…レジスト、１６…スピンドルモータ、１７…回転検出器、１８…回転サーボ、１９…送りユニット、５０…コントローラ、５１…送りサーボ、５２…位置検出器
【図１】
0004060022.tif 000002
【図２】
0004060022.tif 000003
【図３】
0004060022.tif 000004
【図４】
0004060022.tif 000005
【図５】
0004060022.tif 000006
【図６】
0004060022.tif 000007
【図７】
0004060022.tif 000008
【図８】
0004060022.tif 000009
【図９】
0004060022.tif 000010
【図１０】
0004060022.tif 000011
【図１１】
0004060022.tif 000012
【図１２】
0004060022.tif 000013
【図１３】
0004060022.tif 000014